(57)【要約】【課題】コンテンツに付随する時系列のテキスト情報に含まれる単語の検索を簡単に行える電子辞書装置および方法を提供する。【解決手段】テキスト情報入力部２０２でコンテンツ出力部２１２が出力したコンテンツに付随する時系列のテキスト情報が入力され、単語抽出部２０５で単語が抽出され、検索単語蓄積部２０６で検索単語が蓄積される。蓄積された単語の中からユーザが検索したい単語を入力部２０９より選択し、表示部２１１で検索結果等が表示される。コンテンツ出力・記録制御部２１４で流れてくるコンテンツの再生・記録状態が制御されるので、ユーザはコンテンツを視聴している最中に時系列のテキスト情報に含まれる単語の検索を簡単に行うことが可能になる。【選択図】図２
2008171024.tif 000002
【特許請求の範囲】
【請求項１】
時系列のテキスト情報を入力するテキスト情報入力手段と、前記テキスト情報入力手段の出力から単語を抽出する単語抽出手段と、前記単語抽出手段の出力を蓄積する単語蓄積手段と、前記単語蓄積手段の出力の中からユーザが検索したい単語を選択する単語選択手段と、蓄積された単語や検索結果などの表示を行う表示手段を有する電子辞書装置。
【請求項２】
単語蓄積手段は、予めユーザが指定した指標に基づいて単語を蓄積することを特徴とする請求項１に記載の電子辞書装置。
【請求項３】
表示手段は、蓄積された単語を一覧表示し、出現時刻順または５０音順またはアルファベット順を含む順序で並び替えできることを特徴とする請求項１に記載の電子辞書装置。
【請求項４】
時系列のテキスト情報または音声若しくは映像からテキスト情報に変換可能なコンテンツを出力するコンテンツ出力手段を更に有することを特徴とする請求項１に記載の電子辞書装置。
【請求項５】
時系列のテキスト情報または音声若しくは映像からテキスト情報に変換可能なコンテンツを記録するコンテンツ記録手段を更に有することを特徴とする請求項１に記載の電子辞書装置。
【請求項６】
テキスト情報入力手段は、時系列のテキスト情報を入力するとともに、前記テキスト情報の入力時刻または前記テキスト情報に付随した時間情報を管理する手段を有することを特徴とする請求項４または請求項５に記載の電子辞書装置。
【請求項７】
時系列のテキスト情報の入力時刻または前記テキスト情報に付随した時間情報を基に時系列のテキスト情報または音声若しくは映像からテキスト情報に変換可能なコンテンツの出力または記録を制御するコンテンツ出力・記録制御手段を更に有することを特徴とする請求項６に記載の電子辞書装置。
【請求項８】
コンテンツ出力・記録制御手段は、時系列のテキスト情報の入力時刻または前記テキスト情報に付随した時間情報を基に外部の時系列のテキスト情報または音声若しくは映像からテキスト情報に変換可能なコンテンツの出力装置または記録装置を更に制御することを特徴とする請求項６に記載の電子辞書装置。
【請求項９】
時系列のテキスト情報を入力するテキスト情報入力ステップと、テキスト情報から単語を抽出する単語抽出ステップと、抽出された単語を蓄積する単語蓄積ステップと、蓄積された単語の中からユーザが検索したい単語を選択する単語選択ステップと、蓄積された単語や検索結果などの表示を行う表示ステップを有する電子辞書検索方法。
【請求項１０】
時系列のテキスト情報を入力するテキスト情報入力ステップと、前記テキスト情報から単語を抽出する単語抽出ステップと、抽出された単語を蓄積する単語蓄積ステップと蓄積された単語の中からユーザが検索したい単語を選択する単語選択ステップと、蓄積された単語や検索結果などの表示を行う表示ステップを有することを特徴とする電子辞書検索プログラム。
【請求項１１】
請求項１０に記載のプログラムを記録した記録媒体。
【請求項１２】
電子辞書装置の集積回路であって、前記集積回路は、時系列のテキスト情報を入力するテキスト情報入力手段と、前記テキスト情報から単語を抽出する単語抽出手段と、抽出された単語を蓄積する単語蓄積手段と蓄積された単語の中からユーザが検索したい単語を選択する単語選択手段と、蓄積された単語や検索結果などの表示を行う表示手段を有することを特徴とする集積回路。
【発明の詳細な説明】
【技術分野】
【０００１】
本発明は、文字多重放送やＤＶＤ等の記録媒体に記録された字幕付映画などの音声や映像などの情報（以後、コンテンツと呼ぶ）に付随する時系列のテキスト情報に含まれる単語を検索する電子辞書装置に関する。
【背景技術】
【０００２】
従来の入力文字列をキーとして単語を検索する電子辞書装置は、紙の辞書と比較して容易に知りたい単語に関する情報を検索することが可能である。
【０００３】
しかし、コンテンツを視聴しながら、コンテンツに付随する時系列のテキスト情報に含まれる単語を検索する場合、その単語を構成する文字列を入力するのに手間がかかるので、その間、コンテンツを見逃したり聞き逃したりすることがある。
【０００４】
特許文献１のインターネット検索装置では、文字多重放送などのテキスト情報から検索キーワードを自動的に抽出し、ユーザの指定によりインターネットの検索エンジンに前記キーワードを入力して検索させている。このような検索装置を用いることで、検索装置に対して文字列を入力する手間を省ける。
【特許文献１】特開平１０−６９４９６号公報
【発明の開示】
【発明が解決しようとする課題】
【０００５】
しかしながら、特許文献１の検索装置を用いても、流れてくるコンテンツを視聴している最中に、検索結果を閲覧しなければならず、その間、コンテンツを見逃したり聞き逃したり、検索結果をじっくり閲覧できなかったりする。
【０００６】
また、ある単語を検索している最中にも、流れてくるコンテンツからは次々と検索したい単語が出現する場合があり、大変煩雑である。
【０００７】
本発明は、コンテンツに付随する時系列のテキスト情報に含まれる単語の検索を簡単に行える電子辞書装置を提供することを目的とする。
【課題を解決するための手段】
【０００８】
本発明の電子辞書装置は、時系列のテキスト情報を入力するテキスト情報入力手段と、前記テキスト情報入力手段の出力から単語を抽出する単語抽出手段と、前記単語抽出手段の出力を蓄積する単語蓄積手段と、前記単語蓄積手段の出力の中からユーザが検索したい単語を選択する単語選択手段と、蓄積された単語や検索結果などの表示を行う表示手段を有することを特徴とする。
【０００９】
これにより、時系列のテキスト情報に含まれる単語は単語蓄積手段により蓄積されるので、コンテンツを視聴している最中だけでなく、コンテンツを視聴し終わった後からでも、検索することが可能になる。
【００１０】
また、本発明の単語蓄積手段は、予めユーザが指定した指標に基づいて単語を蓄積することを特徴とする。
【００１１】
これにより、蓄積される単語を制限するので、例えば、単語の「ジャンル」を指標として指定することで、ユーザが検索したいジャンルに属する単語のみを蓄積できる。
【００１２】
また、本発明の表示手段は、蓄積された単語を一覧表示し、出現時刻順または５０音順またはアルファベット順を含む順序で並び替えできることを特徴とする。
【００１３】
これにより、ユーザが検索したい単語を蓄積された単語の中から素早く見つけることが可能になる。
【００１４】
また、本発明の電子辞書装置は、時系列のテキスト情報または音声若しくは映像からテキスト情報に変換可能なコンテンツを出力するコンテンツ出力手段を更に有することを特徴とする。
【００１５】
これにより、ユーザがある単語を検索している最中に流れてくるコンテンツを停止させたり、出力再開（再生）させたりすることが可能になる。
【００１６】
また、本発明の電子辞書装置は、時系列のテキスト情報または音声若しくは映像からテキスト情報に変換可能なコンテンツを記録するコンテンツ記録手段を更に有することを特徴とする。
【００１７】
これにより、時系列のテキスト情報または音声若しくは映像からテキスト情報に変換可能なコンテンツ中で見逃したり聞き逃したりした場面等を繰り返し視聴することが可能になる。
【００１８】
本発明のテキスト情報入力手段は、時系列のテキスト情報を入力するとともに、前記テキスト情報の入力時刻または前記テキスト情報に付随した時間情報を管理する手段を有することを特徴とする。
【００１９】
これにより、ユーザが検索した単語が時系列のテキスト情報または音声若しくは映像からテキスト情報に変換可能なコンテンツのどこに含まれていたかを特定することができるので、その場面を繰り返し視聴することが可能になる。
【００２０】
また、本発明の電子辞書装置は、時系列のテキスト情報の入力時刻または前記テキスト情報に付随した時間情報を基に時系列のテキスト情報または音声若しくは映像からテキスト情報に変換可能なコンテンツの出力または記録を制御するコンテンツ出力・記録制御手段を更に有することを特徴とする。
【００２１】
これにより、時系列のテキスト情報または音声若しくは映像からテキスト情報に変換可能なコンテンツ中にユーザが検索した単語が出現した場面等をユーザが特定することなく、自動的に繰り返し視聴することが可能になる。
【００２２】
本発明のコンテンツ出力・記録制御手段は、時系列のテキスト情報の入力時刻または前記テキスト情報に付随した時間情報を基に外部の時系列のテキスト情報または音声若しくは映像からテキスト情報に変換可能なコンテンツの出力装置または記録装置を更に制御することを特徴とする。
【００２３】
これにより、時系列のテキスト情報または音声若しくは映像からテキスト情報に変換可能なコンテンツ中にユーザが検索した単語が出現した場面等をユーザが特定することなく、自動的に繰り返し視聴することが可能になる。
【発明の効果】
【００２４】
以上の様に、本発明はコンテンツに付随する時系列のテキスト情報に含まれる単語の検索を簡単に行える電子辞書装置を提供することができる。
【発明を実施するための最良の形態】
【００２５】
以下本発明の実施の形態について、図面を参照しながら説明する。
（実施の形態１）
図１は、本発明の一実施の形態の構成を示す概略図であり、同図において、本発明の電子辞書装置の正面パネルには液晶表示部１０１、ファンクションキー１０２、単語蓄積制限キーであるジャンル指定キー１０３、連動キー１０４、コントロールキー１０５、スクロールキー１０６、決定キー１０７、閲覧終了キー１０８、電源スイッチ１０９が設けられている。
【００２６】
液晶表示部１０１は、蓄積された単語や検索結果等の表示に使われる。
【００２７】
ファンクションキー１０２は、通常の電子辞書装置に備わっているキー（国語辞書キー、英和辞書キー、和英辞書キー等）で構成される。国語辞書キーは、指定した単語の意味を表示させる場合（以下、「国語辞書モード」という。）に操作する。英和辞書キーは、指定した英単語の意味を日本語で表示させる場合（以下、「英和辞書モード」という。）に操作する。和英辞書キーは、指定した日本語単語の意味を英語で表示させる場合（以下、「和英辞書モード」という。）に操作する。
【００２８】
ジャンル指定キー１０３は、蓄積される単語を制限するために設けられ、ユーザが制限する指標であるジャンルを指定する際に操作される。
【００２９】
連動キー１０４は、時系列のテキスト情報の入力時刻やそのテキスト情報に付随した時間情報を基に時系列のテキスト情報または音声若しくは映像からテキスト情報に変換可能なコンテンツの出力または記録を自動制御するかどうかの設定を行うキーである。
【００３０】
コントロールキー１０５は、時系列のテキスト情報または音声若しくは映像からテキスト情報に変換可能なコンテンツの出力または記録を手動で制御する際に操作される。
【００３１】
スクロールキー１０６は、十字キー（上下左右方向キー）やページキー（ページ送り、ページ戻り）などで構成され、液晶表示部１０１に表示されたカーソルを移動させたり、液晶表示部１０１の表示をスクロールさせたりする際に操作される。
【００３２】
決定キー１０７は、スクロールキー１０６によって選択した項目を決定する際に操作される。
【００３３】
閲覧終了キー１０８は、検索単語結果の閲覧を終了する際に操作される。
【００３４】
電源スイッチ１０９は、電子辞書装置をオン／オフする際に操作される。
【００３５】
図２は、本発明の実施の形態１の機能構成を示すブロック図である。同図において、本発明の電子辞書装置２０１は、テキスト情報入力部２０２、テキスト情報蓄積部２０３、辞書データ部２０４、単語抽出部２０５、検索単語蓄積部２０６、検索部２０７、検索結果蓄積部２０８、入力部２０９、表示制御部２１０、表示部２１１、コンテンツ出力部２１２、コンテンツ記録部２１３、コンテンツ出力・記録制御部２１４、単語格納バッファ２３０、ジャンル対比部、時刻バッファ２３２で構成される。テキスト情報入力部２０２では、時系列のテキスト情報が入力される。時系列のテキスト情報はテキスト出力装置２２１の出力から得ることができ、またコンテンツ出力装置２２２の出力を文字認識装置２２４または音声認識装置２２３を通して得ることができる。
【００３６】
図３にテキスト情報蓄積部２０３のデータ構造を示す。テキスト情報蓄積部２０３では、テキスト情報入力部２０２から入力された時系列のテキスト情報、そのテキスト情報の入力時刻、そのテキスト情報に付随した時間情報、この入力時刻および時間情報から取得した出現時刻が蓄積される。
【００３７】
単語抽出部２０５では、テキスト情報蓄積部２０３に蓄積されているテキスト情報に対し、形態素解析等の処理が施され単語が抽出される。単語抽出部２０５の出力は単語格納バッファ２３０に一時的に格納される。辞書データ部２０４ではその単語が存在するかどうかを検索する。
【００３８】
図４に辞書データ部２０４の構造を示す。辞書データ部２０４は、単語ごとに「ジャンル」等の指標と関連付けられ国語辞書、英和辞書、和英辞書等の結果が格納された電子辞書データベースである。ジャンル対比部２３１では、単語に対応するジャンルが入力部２０９のジャンル指定キー１０３で設定されたジャンルと対比される。ジャンル対比部２３１の出力は検索単語蓄積部２０６に出現時刻とともに蓄積される。検索部２０７では、蓄積された単語から検索単語が選択される度に辞書データ部２０４内を検索し、国語辞書、英和辞書、和英辞書等の検索結果を検索結果蓄積部２０８に蓄積する。
【００３９】
入力部２０９では、ファンクションキー１０２、ジャンル指定キー１０３、連動キー１０４、コントロールキー１０５、スクロールキー１０６、決定キー１０７、閲覧終了キー１０８、電源スイッチ１０９からの信号が入力される。
【００４０】
表示制御部２１０では、入力部２０９に入力された信号に応じて表示データが制御され、表示部２１１では、検索単語蓄積部２０６や検索結果蓄積部２０８の内容等を表示部２１１に表示する。コンテンツ出力部２１２では、時系列のテキスト情報または音声若しくは映像からテキスト情報に変換可能なコンテンツが出力される。コンテンツ出力は文字認識装置または音声認識装置（図示せず）を通してテキスト情報に変換されテキスト情報入力部２０２に供給される。コンテンツ記録部２１３では、時系列のテキスト情報または音声若しくは映像からテキスト情報に変換可能なコンテンツが記録される。コンテンツ出力・記録制御部２１４は、時系列のテキスト情報の入力時刻やそのテキスト情報に付随した時間情報を基にコンテンツ出力部２１２やコンテンツ記録部２１３、あるいは、外部のコンテンツ出力／コンテンツ記録装置２２５を制御する。
【００４１】
次に、本発明の特徴部分である検索単語の蓄積方法、コンテンツ出力・記録制御方法および表示制御方法について具体的に説明する。
（Ａ）検索単語の蓄積方法
図５を用いて、本発明の実施の形態１における検索単語の蓄積方法について説明する。図５は、テキスト情報蓄積部２０２に蓄積されたテキスト情報から文字列を読み込み、単語を抽出し、検索単語蓄積部２０６に検索単語が蓄積されるまでの流れを示すフローチャートである。以下の説明では、検索単語の蓄積を制限する指標として単語の「ジャンル」が指定されているものとする。テキスト情報蓄積部２０２に蓄積された文字列を読み込む（ステップＳ５０１）。単語抽出部２０５は読み込んだ文字列に対し形態素解析を施し、全ての単語を単語格納バッファに一時的に格納する（ステップＳ５０２）。単語格納バッファから１単語抜き出す（ステップＳ５０３）。抜き出した単語が過去に出現していた場合（ステップＳ５０４のｎｏ）、ステップＳ５１０にジャンプする。抜き出した単語が過去に出現していない場合（ステップＳ５０４のｙeｓ）、辞書データ部２０４にその単語が存在するかどうかを検索する（ステップＳ５０５）。辞書データ部２０４にその単語が存在しない場合（ステップＳ５０６のｎｏ）、ステップＳ５１０にジャンプする。辞書データ部２０４にその単語が存在した場合（ステップＳ５０６のｙeｓ）、辞書データ部２０４からその単語のジャンルを読み出す（ステップＳ５０７）。読み出したジャンルがユーザが設定したジャンルに属さない場合（ステップＳ５０８のｎｏ）、ステップＳ５１０にジャンプする。読み出したジャンルがユーザが設定したジャンルに属する場合（ステップＳ５０８のｙeｓ）、その単語を検索単語蓄積部２０６に蓄積する（ステップＳ５０９）。ステップＳ５０３以降の動作を単語格納バッファが空になるまで繰り返す（ステップＳ５１０）。
（Ｂ）コンテンツ出力・記録制御方法
図６を用いて、本発明の実施の形態１におけるコンテンツ出力・記録制御方法を説明する。図６は、コンテンツ出力・記録制御部２１４における処理の流れを示すフローチャートである。以下の説明では、放送中の文字多重放送などを視聴している場合を想定している。また、コンテンツ出力部２１２は、追っかけ再生機能（記録中の番組を記録しながら、記録された場面を再生して視聴できる機能）を有しているものとする。なお、以下の説明は、本実施の形態におけるコンテンツ出力部２１２およびコンテンツ記録部２１３に対して、制御を行っているが外部のコンテンツ再生装置およびコンテンツ記録装置に対しても同様の制御ができる。まず、コンテンツ出力部２１２およびコンテンツ記録部２１３との連動モードが指定されているかどうかの確認を行う（ステップＳ６０１）。連動モードが指定されてない場合（ステップＳ６０１のｎｏ）、何もしない。連動モードが指定されている場合（ステップＳ６０１のｙeｓ）、検索単語が選択されるのを待つ（ステップＳ６０２）。検索単語が選択された場合（ステップＳ６０２のｙeｓ）、選択された単語の出現時刻ｔ０を検索単語蓄積部２０６より取得し、時刻バッファに記録する。このときコンテンツ出力部２１２が追っかけ再生中の場合（ステップＳ６０４のｙeｓ）、コンテンツ出力部２１２に対し再生停止命令を出力する（ステップＳ６０５）。コンテンツ出力部２１２が追っかけ再生中でもなく（ステップＳ６０４のｎｏ）、コンテンツ記録部２１３が記録中でもなければ（ステップＳ６０６のｎｏ）、記録命令を出力し（ステップＳ６０７）、現在時刻ｔ１を時刻バッファに記録する（ステップＳ６０８）。コンテンツ出力部２１２が追っかけ再生中でなく（ステップＳ６０４のｎｏ）、コンテンツ記録部２１３が記録中ならば（ステップＳ６０６のｙｅｓ）、記録開始時刻ｔ２を時刻バッファに記録する（ステップＳ６０９）。この後、ユーザが検索単語結果の閲覧を終了し、閲覧終了キー１０８が押下されるのを待つ（ステップＳ６１０）。閲覧終了キー１０８が押下された場合（ステップＳ６１０のｙeｓ）、コンテンツ出力部２１２に対し、時刻バッファに格納されている時刻へ巻き戻しおよび追っかけ再生命令を出力する（ステップＳ６１１）。つまり、コンテンツ出力部２１２が追っかけ再生中に検索単語を選択した場合には、検索結果の閲覧後は、その検索単語が出現した場面から再生が始まり、コンテンツ出力部２１２が追っかけ再生中でなく、コンテンツ記録部２１３が録画中でもないときに検索単語を選択した場合には、検索結果の閲覧後は、その検索単語を選択した時点の場面から再生されることになる。
（Ｃ）表示制御方法
図７を用いて、本発明の実施の形態１における表示制御方法を説明する。図７は、表示制御部２１０における処理の流れを示すフローチャートである。以下は、蓄積された検索単語がコンテンツと同期して出現時刻順に一覧表示される場合の説明である。まず、検索単語が選択されてない場合（ステップＳ７０１のｎｏ）、そのとき、コンテンツ出力部２１２が追っかけ再生中であれば（ステップＳ７０２のｙｅｓ）、再生中の時刻ｔ３を時刻バッファに格納し（ステップＳ７０３）、追っかけ再生中でなければ（ステップＳ７０２のｎｏ）、現在時刻を時刻バッファに格納する（ステップＳ７０４）。そして、検索単語蓄積部２０８に蓄積された検索単語の中で時刻バッファに格納された時刻に最も近い時刻に出現した検索単語を先頭にして表示する（ステップＳ７０５）。検索単語が選択された場合（ステップＳ７０１のｙｅｓ）、検索結果蓄積部２０８の内容を表示させる（ステップＳ７０６）。そして、閲覧終了キーが押下されると（ステップＳ７０７のｙｅｓ）、ステップＳ７０２にジャンプする。尚、一覧表示は上述した出現時刻順に限られず、５０音順またはアルファベット順も可能である。
【００４２】
以上の様に、本発明の電子辞書装置によれば、流れてくるコンテンツを視聴している最中に検索結果を閲覧しなくてもよいので、コンテンツを見逃したり聞き逃したりすることなく、検索結果をじっくり閲覧できたり、流れてくるコンテンツを視聴している最中に検索結果を閲覧しても、その間に見逃したり聞き逃したりした場面を視聴し直すことが可能になる。
【００４３】
また、ある単語を検索している最中に出現した単語についても簡単に検索可能になる。
【００４４】
なお、上記した実施の形態は、記録装置（ＲＯＭ、ＲＡＭ、ハードディスク等）によって格納された上述した処理手順を実行可能な所定のプログラムデータが、ＣＰＵによって解釈実行されることで実現される。この場合、プログラムデータは、記録媒体を介して記録装置内に導入されてもよいし、記録媒体上から直接実行されてもよい。ここで、記録媒体は、例えばＲＯＭ、ＲＡＭ、フラッシュメモリ等の半導体メモリ、フレキシブルディスクやハードディスク等の磁気ディスクメモリ、ＣＤ−ＲＯＭやＤＶＤ、ＢＤ等の光ディスク、メモリカードである。また、記録媒体は、電話回線や搬送路等の通信媒体も含む概念である。
【００４５】
なお、上述した実施の形態において、各機能ブロックは典型的には集積回路であるＩＣまたはＬＳＩとして実現される。これらは個別毎に１チップ化されてもよいし、一部または全てを含むように１チップ化されてもよい。
【００４６】
また、集積回路化の手法は、ＬＳＩに限るものではなく、専用回路または汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用してもよい。
【産業上の利用可能性】
【００４７】
本発明の電子辞書装置は、流れてくるコンテンツを視聴している最中に検索結果を閲覧しなくてもよいので、コンテンツを見逃したり聞き逃したりすることなく、検索結果をじっくり閲覧できたり、流れてくるコンテンツを視聴している最中に検索結果を閲覧しても、その間に見逃したり聞き逃したりした場面を視聴し直すことができるという優れた効果を有しているため、電子辞書装置等において有用である。
【図面の簡単な説明】
【００４８】
【図１】本発明の実施の形態１における電子辞書装置の外観図
【図２】本発明の実施の形態１における電子辞書装置の構成を示すブロック図
【図３】テキスト情報蓄積部のデータ構造を示す図
【図４】辞書データ部２０４の構造を示す図
【図５】検索単語が蓄積されるまでの流れを示すフローチャート
【図６】情報記録再生装置制御部における処理の流れを示すフローチャート
【図７】表示制御部における処理の流れを示すフローチャート
【符号の説明】
【００４９】
１０１    液晶表示部
１０２    ファンクションキー
１０３    ジャンル（単語蓄積制限）キー
１０４    連動キー
１０５    コントロールキー
１０６    スクロールキー
１０７    決定キー
１０８    閲覧終了キー
１０９    電源スイッチ
２０１    電子辞書装置
２０２    テキスト情報入力部
２０３    テキスト情報蓄積部
２０４    辞書データ部
２０５    単語抽出部
２０６    検索単語蓄積部
２０７    検索部
２０８    検索結果蓄積部
２０９    入力部
２１０    表示制御部
２１１    表示部
２１２    コンテンツ出力部
２１３    コンテンツ記録部
２１４    コンテンツ出力・記録制御部
２２１    テキスト出力装置
２２２    コンテンツ出力装置
２２３    音声認識装置
２２４    文字認識装置
２２５    コンテンツ出力／記録装置
２３０    単語格納バッファ
２３１    ジャンル対比部
２３２    時刻バッファ
【図１】
2008171024.tif 000003
【図２】
2008171024.tif 000004
【図３】
2008171024.tif 000005
【図４】
2008171024.tif 000006
【図５】
2008171024.tif 000007
【図６】
2008171024.tif 000008
【図７】
2008171024.tif 000009